(57)【特許請求の範囲】
【請求項１】
合成樹脂製擬木の支柱と横木とを有し、支柱の横木嵌入凹部内には、頭部に上記横木嵌入凹部の底面に当接するスペーサー及び上記スペーサーの径方向にのびる横木係止用のピンを備える、ボルト状の連結具が配設され、横木の一端の軸心部分には、上記ピンと係合する長孔状の切欠部を備える筒状の係合連結部が設けられ、上記スペーサーは、上記ピンが所望の方向位置となるように横木嵌入凹部の底面に当接緊締され、横木の当該端部は、上記係合連結部の上記切欠部を上記ピンに着脱可能に係止することによって支柱に連結されている、合成樹脂製擬木柵。
【請求項２】
横木の他方の端部には、その端面に放射状の凹凸が形成され、かつ、前記ボルト状連結具の尾部と螺合するナットが固着され、当該端部を収容する支柱の横木嵌入凹部の底面には、上記横木端面の凹凸と係合する放射状の凹凸が形成され、横木の当該端部は、上記ナットとボルト状連結具を緊締し、かつ、支柱側と横木側の上記放射状凹凸が当接係合することによって支柱と連結されている、請求項１の合成樹脂製擬木柵。
【発明の詳細な説明】
【０００１】
【発明の属する技術分野】
本発明は、合成樹脂を主材として表面を樹皮状ないし絞り丸太状に形成した支柱と横木等によって構成される、合成樹脂製擬木柵に関する。
【０００２】
【従来の技術】
合成樹脂を主材として製作され、表面を樹皮状ないし絞り丸太状に形成した支柱や横木等を組み立てて設置する、いわゆる擬木柵は、その耐腐食性や天然木材資源の節約等の観点から広く用いられているが、この合成樹脂製擬木柵の問題点の一つとして、横木の配置角度の調節が難しいという問題がある。すなわち、木材のように加工が容易な素材の場合には、材料の加工によって、上下、左右いずれの方向にも所望の角度で横木を支柱に取り付けることができ、したがって、柵を設置する場所の傾斜や曲折状態に応じて柵を設置することが容易である。しかし、合成樹脂製の材料の場合には、予め成形加工によって形成された凹部や凸部を用いて組み立てなければならないため、設置場所の状態（例えば坂道やカーブの場所）に応じて自由に横木を傾けて取り付けることが困難であるという問題があった。
【０００３】
特開平６−３３６８０７号には、曲折可能な結合ナットを用いて支柱に対する横木の配置方向を調節しうる方式が提案されているが、この提案の方式は設置現場での作業が複雑であって、実用化し難い欠点がある。
【０００４】
さらに、合成樹脂製擬木柵においては、設置後に横木が不時に回転する恐れがあった。すなわち、一般に合成樹脂製擬木柵の横木は、円形の端部が支柱側面の凹部内に嵌入され、横木の軸心の鋼製の筒体内に配置された連結用のボルトを、支柱内に挿通緊締して支柱と連結されているため、子供が横木上にまたがったりして横木に強い回転応力が加わると、横木が回転して子供が転落したりする等の危険がある。
【０００５】
このため、横木の回転防止のためにいくつかの方式が考えられている。例えば、実開平４−３４３６５号には、支柱の凹部側に固着した釘を横木の端面にくい込ませる方式が記載され、実公平４−９８０９号には、支柱の凹部側と横木の端面に傾斜面を形成して双方を当接させる方式が記載され、特開平６−１１７１５０号には、係止爪つきのワッシャーを横木の端面と支柱の凹部の間に介在させて双方にくい込ませる方式が記載されている。しかし、これらの方式は、いずれも設置現場における組み立て施工の際の煩わしさを伴わざるをえない欠点がある。
【０００６】
【発明が解決しようとする課題】
本発明は、施工に際して横木の配置角度を調節しうると共に、製作が容易であり、かつ、設置施工を能率的に行うことのできる合成樹脂製擬木柵を提供することを目的とする。
【０００７】
【課題を解決するための手段】
本発明においては、支柱と横木の連結手段として、支柱側に取り付けた連結具のピンと、横木側に設けられた係合連結部位の切欠部とを係合させる方式が用いられる（請求項１）。
【０００８】
また、横木の不時の回動を防止する手段として、横木の端面と支柱側の受入凹部の双方に形成した放射状の凹凸をかみ合わせる方式が用いられる（請求項２）。
【０００９】
すなわち、請求項１の発明は、合成樹脂製擬木の支柱と横木とを有する擬木柵において、支柱の横木嵌入凹部内には、頭部に横木端部係止用のピンを備えるボルト状の連結具が配設され、横木の一端には、上記ピンと係合する切欠部を備える係合連結部が設けられ、横木の当該端部は、前記横木端部嵌入腔内において、上記切欠部を上記ピンに着脱可能に係止することによって支柱に連結されている、構成を有するものであり、
【００１０】
請求項２の発明は、請求項１の擬木柵において、横木の他方の端部には、その端面に放射状の凹凸が形成され、かつ、前記ボルト状連結具の尾部と螺合するナットが固着され、当該端部を収容する支柱の横木嵌入凹部の底面には、上記横木端面の凹凸と係合する放射状の凹凸が形成され、横木の当該端部は、上記ナットとボルト状連結具を緊締し、かつ、支柱側と横木側の上記放射状凹凸が当接係合することによって連結されている、構成を有するものである。
【００１１】
【実施の態様】
本発明の擬木柵において、支柱側に取り付けられるボルト状の連結具は、例えば図４に示すような形状のものである。すなわち、頭部近傍に横木係止用の、図示１０ａ、１０ｂのようなピンを備えていることが特徴である。このピンは、連結具の頭部近傍に図示９のような大径のスペーサーを装着し、スペーサーの径方向にピンを突出して設けたものである。スペーサーは金属製のものでもよいが、合成樹脂製のものとする方が、防錆や締め込みの際の弾力性の観点から望ましい。
【００１２】
連結具は、図１に示すように、支柱側面に形成した横木受入凹部（支柱１の場合の凹部５ａ）の底面にスペーサーを当接させ、胴部は支柱を貫通して、尾部が支柱の他側面側の、締付用凹部（支柱１の場合の凹部６）又は横木受入凹部（支柱２の場合の凹部５ｂ）に突出して、締め付け用ナット又は横木他端のキャップナットと螺合し、支柱に緊締固着される。この際、ピンの向きは、通常は適宜の方向でよいが、横木を上下又は左右方向に傾斜して取り付ける場合には、水平方向又は垂直方向を向くようにする。
【００１３】
一方、横木の二つの端部のうち、上記連結具の頭部側と連結される端部には、ピンと係合する切欠部を備えた連結部が形成される。例えば、鋼管の端部に、連結具のピンを受け入れてから横木を回動させることによって横木と連結具とが係合状態とすることができるような形状の切欠部を有する連結部が形成される。通常、横木の軸心部には横木を長手方向に貫通する鋼管等の芯パイプが埋設されているので、芯パイプの端部に上記の切欠部を設けて連結部としてもよいが、図１におけるように、芯パイプの端部に、切欠部を形成した短軸パイプ（例えば図５のもの）をかぶせて固着するようにすることもできる。この方式によると、芯パイプの内周側に、芯パイプに密接する合成樹脂製の防水キャップを嵌着し、それによって芯パイプ内部の錆の発生を防ぐこともできる。
【００１４】
横木を支柱に連結する際には、横木の端部を支柱の横木受入凹部内に入れて、連結部の切欠部に、支柱に取り付けられている前記連結具のピンを嵌入させてから、ピンが切欠部の奥にまで入るように横木を回動させる。このようなワンタッチ操作によるピンと切欠部の係合により、横木の一端は支柱に連結された状態となる。
【００１５】
この際、横木は、ピン１０ａ及び１０ｂを軸心として揺動可能な状態となるから、連結具のピンがほぼ垂直方向を向いて位置している場合には、横木を支柱に対してその同方向に傾いた状態で配置することができ、また、ピンがほぼ水平方向を向いて位置している場合には、横木を支柱の軸方向に対して傾いた状態で配設することができる。
【００１６】
次に本発明の請求項２の擬木柵においては、横木の他の一端（係合連結部を有しない側の端部）の端面に、例えば図７に示すような、芯パイプを中心として横木の外周に向って放射状にのびる多数の放射状凹凸が形成されている。前記のように、この端部は支柱の横木受入凹部内に収容され、端部に固着されたナットに、支柱側に取り付けられた前記ボルト状連結具の尾部を螺合緊締することによって支柱及び支柱他側の横木に連結されるが、この端部を受け入れる支柱側の受入部の底面にも、図８に示すように横木端面の放射状凹凸に対応する放射状凹凸が形成されており、横木の端面と凹部の底面とを当接させて、双方の凹凸をかみ合わせるようにする。これによって、横木は設置後の不時の回動を免れることができる。
【００１７】
【実施例】
図１ないし図４に、本発明の一実施例を示す。
【００１８】
図１に示す擬木柵において、２本の支柱１及び２の間に、横木３がかけ渡されている。支柱１は、一連の柵の終端位置に立てられる支柱であり、支柱２は、一連の柵の中間位置に立てられる支柱である。支柱１及び２は、いずれも、鋼管製の芯パイプ４の周囲にポリエチレン樹脂層３ａを成形被覆したものである。支柱１には、その一側に横木受入凹部５が、他の一側に緊締用凹部６が形成されている。支柱２には、その両側に横木端部受入凹部５ａ、５ｂが形成されている。さらに、支柱１及び２のいずれにも、両側の凹部の間に、芯パイプ４を横切って連結具挿通用パイプ７が固設されている。
【００１９】
連結具挿通用パイプ７内には、ボルト状連結具８が挿通されている。ボルト状連結具８は、図２に示す形状のもので、頭部８ａと尾部８ｃを有し、頭部８ａに接して、大径の合成樹脂製スペーサー９が固着され、スペーサー９から、２本の係合ピン１０ａ、１０ｂが径方向に突出している。ボルト状連結具８の尾部は、支柱１においては凹部６内でナット１０と螺合して緊締され、支柱２においては、横木３の一端に固着されたナットに螺合して緊締されている。図示の実施例においては、連結具８は、ピン１０ａ、１０ｂが上方又は下方に、それぞれ垂直方向を向いた状態で緊締されている。
【００２０】
横木３も、芯パイプ１２の周囲にポリエチレン樹脂層３ａを成形被覆したもので、両端に凹部１３ａ、１３ｂが形成されている。支柱１側の端部１３ａ内には、筒状の係合連結部１４が突出している。係合連結部１４ａは、芯パイプ１２の外周に嵌合固定されており、図５又は図６に示す形状のもの、すなわち、一端側に、連結具８のピン１０ａ、１０ｂと係合する２個の切欠部１５ａ、１５ｂが形成されている。
【００２１】
切欠部１５は、図５のものにおいては、係合連結部１４の端縁から軸方向にのびる部分ｃと、ｃの終端から軸にほぼ垂直な断面の円周に沿ってのびる部分ｄと、さらにｄの終端から、端縁方向に向ってのびる部分ｅとからなっており、図６のものにおいては、端縁から斜めに切れ込んでのびる形状のものとして形成されている。
【００２２】
係合連結部１４の切欠部１５ａ及び１５ｂは、支柱側の連結部８のピン１０ａ及び１０ｂに、それぞれ係合し、この係合により、図２及び図３に示すように、横木３の一端が支柱１に係止された状態となる。横木３の他端３ｃ側が支柱３に連結されないうちは、横木３はピン１０ａ及び１０ｂを軸として回動しうる状態であるから、図３に示すように、横木を支柱に対して傾けた状態で係止することができる。図３では横木は支柱に対して横方向に曲がった状態で配置されているが、ピン１０ａ、１０ｂが水平方向に突出するように連結具８を支柱に取付けた場合には、横木を支柱に対して上下方向に傾いた状態で係止することができる。
【００２３】
横木３の他方の端部３ｃは、支柱２の１側の凹部５ｂ内に嵌入される。芯パイプ１２の端部３ｃ側には、キャップナット１６が固設されており、ボルト状連結具８の尾部８と螺合し、端部３ｃの端面３ｄは凹部５ｂの底面５ｃと当接する。
【００２４】
横木の端部３ｃの端面３ｄには、図７に示すように、横木の軸心から外周に向って放射状にのびる多数の凹凸３ｅが形成されており、一方、支柱２の凹部５ｂの底面５ｃにも、図８に示すように、底面５ｃの中心部分から放射状にのびる多数の凹凸５ｄが形成されている。横木の端面３ｄと凹部５ｂの底面５ｃとは、凹凸３ｅと凹凸５ｄがかみ合った状態で当接し、これによって、柵の設置後における横木の回動が防止される。
【００２５】
なお、横木３の芯パイプ１２の、係合連結部１４が固設されている側の端部には、合成樹脂製のコップ状内挿キャップ１７が取り付けられている。芯パイプ１２の両端にキャップナット１６と内挿キャップ１７が取り付けられていることにより、芯パイプ内部への水の浸入が妨げられ、錆の発生や腐食を防止することができる。
【００２６】
【発明の効果】
本発明の効果は、次のとおりである。
（１）支柱に対する横木の一端の連結を支柱側に取り付けた連結具のピンと横木側に設けた連結具の切欠部との係合によって行うようにしたため、横木の一端の連結をワンタッチで能率的に行うことができ、かつ、支柱に対する横木の配設角度を調節することができる。（請求項１の発明の効果）
（２）横木の他端の端面には放射状の凹凸を形成し、これを支柱側に形成した放射状凹凸とかみ合わせて当接するようにしたので、簡易な手段によって横木の不時の回動を防止することができる。（請求項２の発明の効果）
【図面の簡単な説明】
【図１】本発明の一実施例における、支柱と横木の連結部分の縦断面図。
【図２】支柱と横木の一端の連結状態の横断面図。
【図３】横木を傾けて連続した状態の横断面図。
【図４】ボルト状連結具の側面図。
【図５】横木端部の連結部の斜視図。
【図６】横木端部の連結部の他の１例の斜視図。
【図７】横木の他端部の斜視図。
【図８】図６の横木を収容する側の支柱の斜視図。
【符号の説明】
１、２    …  支柱
１ａ、２ａ…  支柱の合成樹脂層
３        …  横木
３ａ      …  横木の合成樹脂層
３ｂ、３ｃ…  横木の端部
３ｄ      …  横木の端面
３ｅ      …  放射状凹凸
４        …  支柱の芯パイプ
５ａ、５ｂ…  横木端部嵌入用の凹部
５ｃ      …  凹部の底面
５ｄ      …  放射状凹凸
６        …  ナット緊締用の凹部
７        …  挿通パイプ
８        …  ボルト状連結具
８ａ      …  連結具の頭部
８ｂ      …  連結具の尾部
９        …  スペーサー
１０ａ、１０ｂ…  ピン
１１      …  ナット
１２      …  横木の芯パイプ
１３      …  連結用凹部
１４      …  係合用連結部
１５ａ、１５ｂ…  切欠部
１５ｃ、１５ｄ、１５ｅ…  切欠部の部位
１６      …  キャップナット
１７      …  内挿キャップ
【図１】
0003657352.tif 000002
【図２】
0003657352.tif 000003
【図３】
0003657352.tif 000004
【図４】
0003657352.tif 000005
【図５】
0003657352.tif 000006
【図６】
0003657352.tif 000007
【図７】
0003657352.tif 000008
【図８】
0003657352.tif 000009